(57)【要約】【課題】  構造が簡単で、安全性の向上と設置スペースを小さくできるエレベータかご室の救出装置を得る。【解決手段】  エレベータの故障時に故障かご２内の乗客を隣の救出かご１で救出するものにおいて、救出かご及び故障かごのかご室側部に互いに対向するように設置され、救出時に互いに開かれる救出口扉９、１９と、救出かご１の救出口扉９側のかご床３内に引き出し可能に格納された渡し板４と、救出かごのかご床側面に設けられ、常時は格納された渡し板の前面を開閉自在に塞ぐ蓋体５と、救出かごの救出口扉に設けられ、かご室内から操作されて救出かごの救出口扉を解錠・施錠するロック装置６と、ロック装置と蓋体との間に設けられ、救出かごの救出口扉の解錠・施錠動作と連動して蓋体を開閉動作させる連結機構１１ａ、１１ｂ、１２、５ｃとを備える。【選択図】    図４
2006062860.tif 000002
【特許請求の範囲】
【請求項１】
エレベータの故障時に故障かご内の乗客を隣の救出かごで救出するエレベータかご室の救出装置において、
救出かご及び故障かごのかご室側部に互いに対向するように設置され、救出時に互いに開かれる救出口扉と、
前記救出かごの救出口扉側のかご床内に引き出し可能に格納された渡し板と、
前記救出かごのかご床側面に設けられ、常時は前記格納された渡し板の前面を開閉自在に塞ぐ蓋体と、
前記救出かごの救出口扉に設けられ、かご室内から操作されて救出かごの救出口扉を解錠・施錠するロック装置と、
前記ロック装置と前記蓋体との間に設けられ、前記救出かごの救出口扉の解錠・施錠動作と連動して前記蓋体を開閉動作させる連結機構と、
を備えたことを特徴とするエレベータかご室の救出装置。
【請求項２】
かご床内に引き出し可能に格納される渡し板は、その両端部にローラが取り付けられ、このローラが案内レール上を走行することにより引き出されることを特徴とする請求項１記載のエレベータかご室の救出装置。
【請求項３】
かご床内に引き出し可能に格納される渡し板は、その奥行先端部側に圧縮コイルばねが設けられ、前記圧縮コイルばねは、渡し板の格納時には圧縮されており、ロック装置の解錠時には前記圧縮コイルばねの反発力により渡し板が蓋体を押し開けて飛び出すようにしたことを特徴とする請求項１又は請求項２記載のエレベータかご室の救出装置。
【発明の詳細な説明】
【技術分野】
【０００１】
この発明は、エレベータの故障時にかご室内に閉じ込められた乗客を隣の救出かごで救出するエレベータかご室の救出装置に関するものである。
【背景技術】
【０００２】
エレベータが故障した場合には、乗客を救出する必要がある。従来のエレベータでは、かご室側部に扉付き救出口を設け、救出口の扉を開いた後、扉裏側に取り付けてある渡し板を救出側のかごと故障かごに渡しかけて閉じ込められた乗客を救出している。しかし、従来のエレベータでは、かご室側部の救出口の扉裏側に設置してある渡し板を取外さなければならず、救出に多大の時間と労力を要するという問題がある。
かかる問題を解決するものとして、かご室側部の救出口の支柱に２段式のステップを設置することにより、乗客救出時の救出時間の短縮や、救出者の労力を軽減したものが提案されている（例えば、特許文献１参照）。
【０００３】
【特許文献１】特開平１０−１０１２７０号公報
【発明の開示】
【発明が解決しようとする課題】
【０００４】
しかし、上記従来の技術では、２段式のステップを設置するために、ヒンジや支持部材を使用することにより構造を複雑にし、更にヒンジや支持部材の摩耗も考えられる。また、２段目のステップの使用時は段差が生じ安全性に欠けている。また、かご室側部に渡し板やステップを設置すると、かご室側部に余分なスペースが必要となり、その分かご室寸法が大きくなるという問題があった。
【０００５】
この発明は、上述のような課題を解決するためになされたもので、構造がより簡単で、安全性の向上と設置スペースを小さくできるエレベータかご室の救出装置を提供することを目的とする。
【課題を解決するための手段】
【０００６】
この発明に係るエレベータかご室の救出装置は、エレベータの故障時に故障かご内の乗客を隣の救出かごで救出するものにおいて、救出かご及び故障かごのかご室側部に互いに対向するように設置され、救出時に互いに開かれる救出口扉と、救出かごの救出口扉側のかご床内に引き出し可能に格納された渡し板と、救出かごのかご床側面に設けられ、常時は格納された渡し板の前面を開閉自在に塞ぐ蓋体と、救出かごの救出口扉に設けられ、かご室内から操作されて救出かごの救出口扉を解錠・施錠するロック装置と、ロック装置と蓋体との間に設けられ、救出かごの救出口扉の解錠・施錠動作と連動して蓋体を開閉動作させる連結機構とを備えたものである。
【発明の効果】
【０００７】
この発明は、救出かご及び故障かごのかご室側部に互いに対向するように設置され、救出時に互いに開かれる救出口扉と、救出かごの救出口扉側のかご床内に引き出し可能に格納された渡し板と、救出かごのかご床側面に設けられ、常時は格納された渡し板の前面を開閉自在に塞ぐ蓋体と、救出かごの救出口扉に設けられ、かご室内から操作されて救出かごの救出口扉を解錠・施錠するロック装置と、ロック装置と蓋体との間に設けられ、救出かごの救出口扉の解錠・施錠動作と連動して蓋体を開閉動作させる連結機構とを備えたので、構造がより簡単で、乗客救出時に渡し板の段差が生じないから、安全性の向上が図れる。またかご室からの出っ張りを無くすことにより設置スペースを小さくすることができる効果がある。
【発明を実施するための最良の形態】
【０００８】
実施の形態１．
図１はこの発明の実施の形態１におけるエレベータかご室の救出装置の全体構成を示す平面図、図２はこの発明の実施の形態１における救出側のかご室内の構造を示す斜視図、図３は図２のＤ部の詳細構造を示す斜視図、図４はこの発明の実施の形態１における救出側のかご室の救出口扉部分を外方から見た斜視図、図５は図４のＦ方向から見た図、図６は救出口扉のロック装置を解錠した状態を示す図５相当図、図７はこの発明の実施の形態１における救出側のかご室の救出口扉の要部を外方から見た斜視図である。
【０００９】
図１、図２において、１は救出かご、２は故障かごである。故障かご２は隣の救出かご１により救出される側のかごである。救出かご１は、故障かご２側と対向するかご室側部に救出口扉９が設置されており、９ｂは救出口扉９を開いた状態を示している。また故障かご２は、救出かご１側と対向するかご室側部に救出口扉１９が設置されており、１９ｂは救出口扉１９を開いた状態を示している。救出かご１の救出口扉９側のかご床３の中には渡し板４が引き出し可能に格納されており、４ａは救出かご１の渡し板４が引き出された状態を示している。また故障かご２の救出口扉１９側のかご床には、救出かご１のかご床３から引き出された渡し板４の先端部を受けて支持する渡し板支持受け（図示せず）が設けられている。また、各救出口扉９、１９にはそれぞれ回転軸９ａ、１９ａが設けられている。
【００１０】
図３において、救出かご１の救出口扉９の裏面には、救出口扉９の正面から扉解錠キー１０により操作されるロック装置６が設けられている。このロック装置６を扉解錠キー１０により図３の矢印Ｅ方向に回転すると、ロック装置６が救出口扉９に隣接するかご室壁から外れて、救出口扉９はかご室内側に向けて開くことができる（図１参照）。また、ロック装置６には、渡し板４の蓋体５に設けられた一対のストッパー１２と連結するためのワイヤーロープ等からなる一対の連結具１１ａ、１１ｂの上端部が固定されている。
【００１１】
図４、図５は救出かご１の救出口扉９が閉じている状態を示し、図６は救出口扉９のロック装置６を解錠した状態を示している。図４において、渡し板４は、常時はかご床３の中に格納されており、案内レール（図示せず）に案内されて使用時にはかご床３内から引き出され、図４の４ａの状態となる。また、渡し板４が格納されているかご床３の前面には、蓋体５が開閉自在に設けられている。この蓋体５の下方両側端部は、回転軸５ａにより回転可能に軸支されており、この回転軸５ａにはねじりコイルばね５ｂが装着されている。そして、上記渡し板４の蓋体５は、ねじりコイルばね５ｂにより常時塞がれる方向に付勢されている。また蓋体５の上方には救出口扉９の裏面に装備されている一対のストッパー１２にそれぞれ係合する一対のピン５ｃが取り付けられている。この一対のピン５ｃは、図４、図５に示すように、通常は各ストッパー１２が係合して蓋体５が開かないようになっており、渡し板４が飛び出さないようにしている。ここで今、上記ロック装置６を扉解錠キー１０により図３の矢印Ｅ方向に回転して解錠すると、図６に示すように、ワイヤーロープ等からなる一対の連結具１１ａ、１１ｂが引き上げられ、この連結具１１ａ、１１ｂの下端部がそれぞれ連結された一対のストッパー１２が一端を支点として上方に引き上げられ、各ストッパー１２と蓋体５のピン５ｃとの係合が解放され、蓋体５を開くことが可能となる。以上のように、上記ロック装置６と蓋体５との間に設けられた連結具１１ａ、１１ｂ、ストッパー１２、およびピン５ｃは、ロック装置６の操作による救出口扉の解錠・施錠動作と連動して蓋体５を開閉動作させる連結機構を構成するものである。
【００１２】
その後、渡し板４を引き出して使用する時は、蓋体５を開き、かご床３内に格納されている渡し板４を引き出し、渡し板４ａの先端部を故障かご２のかご床の渡し板支持受け（図示せず）まで到達させて、故障かご２内に閉じ込められた乗客を渡し板４により救出かご１へ移して救出を行う。
【００１３】
救出後は、渡し板４を救出かご１のかご床３内に格納すると、蓋体５はねじりコイルばね５ｂにより渡し板４の出入り口を塞ぐことになる。そして、救出口扉９のロック装置６およびストッパー１２が図６の状態で、救出口扉９を閉じた後、ロック装置６を施錠する方向（図３の反矢印Ｅ方向）に回すと、図７に示すように、ストッパー１２はねじりコイルばね１２ａにより蓋体５のピン５ｃに係合する方向に付勢されており、ストッパー１２がピン５ｃに係合して蓋体５が開くことが阻止される。
【００１４】
実施の形態２．
図８はこの発明の実施の形態２におけるエレベータかご室の救出装置の救出側のかご室の救出口扉部分の要部を示す側面図、図９は図８のＧ−Ｇ線に沿った断面図である。
この実施の形態２では、かご床３内に格納される渡し板４の両端部に複数のローラ１３を取り付け、案内レール１４上を渡し板４が軽快に走行できるような構成とし、渡し板４を救出者が軽い力で引き出せるようにしたものである。
【００１５】
実施の形態３．
図１０はこの発明の実施の形態３におけるエレベータかご室の救出装置の救出側のかご室の救出口扉部分の要部を示す側面図である。
この実施の形態３では、かご床３内に格納される渡し板４の奥行先端部側に圧縮コイルばね１６を設け、この圧縮コイルばね１６は、渡し板４の格納時には圧縮された状態で押し当てられている。渡し板４を取り出す時は、ロック装置６を解錠すると、ストッパー１２が作動し、圧縮コイルばね１６の反発力により渡し板４が蓋体５を押し開けて、かご床３の側面より少し飛び出してくる。これにより、飛び出してきた渡し板４を容易に引き出すことができる。また、渡し板４をかご床３内に格納する場合は、渡し板４を圧縮コイルばね１６の付勢力に抗して押し込み、蓋体５を閉じて、ストッパー１２をピン５ｃに係合させる。
【図面の簡単な説明】
【００１６】
【図１】この発明の実施の形態１におけるエレベータかご室の救出装置の全体構成を示す平面図である。
【図２】この発明の実施の形態１における救出側のかご室内の構造を示す斜視図である。
【図３】図２のＤ部の詳細構造を示す斜視図である。
【図４】この発明の実施の形態１における救出側のかご室の救出口扉部分を外方から見た斜視図である。
【図５】図４のＦ方向から見た図である。
【図６】救出口扉のロック装置を解錠した状態を示す図５相当図である。
【図７】この発明の実施の形態１における救出側のかご室の救出口扉の要部を外方から見た斜視図である。
【図８】この発明の実施の形態２におけるエレベータかご室の救出装置の救出側のかご室の救出口扉部分の要部を示す側面図である。
【図９】図８のＧ−Ｇ線に沿った断面図である。
【図１０】この発明の実施の形態３におけるエレベータかご室の救出装置の救出側のかご室の救出口扉部分の要部を示す側面図である。
【符号の説明】
【００１７】
１  救出かご
２  故障かご
３  かご床
４  渡し板
５  蓋体
５ａ  回転軸
５ｂ  ねじりコイルばね
５ｃ  ピン
６  ロック装置
９、１９  救出口扉
９ａ、１９ａ  回転軸
１０  扉解錠キー
１１ａ、１１ｂ  連結具（ワイヤーロープ）
１２  ストッパー
１２ａ  ねじりコイルばね
１３  ローラ
１４  案内レール
１６  圧縮コイルばね
【図１】
2006062860.tif 000003
【図２】
2006062860.tif 000004
【図３】
2006062860.tif 000005
【図４】
2006062860.tif 000006
【図５】
2006062860.tif 000007
【図６】
2006062860.tif 000008
【図７】
2006062860.tif 000009
【図８】
2006062860.tif 000010
【図９】
2006062860.tif 000011
【図１０】
2006062860.tif 000012